(57)【要約】【課題】警報装置と接続されて、サイレンを駆動するサイレン制御盤において、警報装置がサイレンを連続駆動するような故障を発生した場合、これを検知して、サイレンの連続駆動を確実にかつ短時間で停止させる装置を得る。【解決手段】サイレン３と同じ回路上にあるタイマーリレー９でサイレンの駆動時間を監視し、タイマーのタイムアップ動作で遮断器４のトリップコイル５を駆動させ、サイレン３に供給する電源を遮断することで、サイレンの連続駆動を停止させる。【選択図】図１
2011108060.tif 000002
【特許請求の範囲】
【請求項１】
ダムの放流などを警報する警報装置、警報装置からの信号により動作し、サイレンへの出力を制御するサイレン制御盤、及び警報音を発するサイレンを備え、かつ、サイレン制御盤にはサイレンと同じ回路に接続されたタイマーリレーが設けられ、このタイマーリレーによりサイレンの連続動作を検出し、タイマーリレーのタイムアップでサイレンに供給する電源の遮断器をトリップさせるように構成した連続動作防止機能付きサイレン制御盤。
【請求項２】
タイマーリレーの接点がサイレンへの電源を遮断する遮断器のトリップコイルと直列接続された構成とした請求項１記載の連続動作防止機能付きサイレン制御盤。
【請求項３】
サイレンへの電源供給ラインに設けられ、警報装置からのオン、オフ信号に従いサイレンへの電源をオン、オフ制御する電磁開閉器を備えた請求項１又は請求項２記載の連続動作防止機能付きサイレン制御盤。
【請求項４】
タイマーリレーは電磁開閉器とサイレンがともにオンの時のみ動作し、このタイマーリレーのタイムアップ動作でサイレンに供給する電源の遮断器をトリップさせるように構成した請求項１から請求項３のいずれかに記載の連続動作防止機能付きサイレン制御盤。
【発明の詳細な説明】
【技術分野】
【０００１】
この発明は、河川のダムなどに設置し、放流時に下流にいる人々に危険をサイレンなどにより、告知する放流警報装置のサイレン制御盤に係り、特に装置の故障でサイレンが連続吹鳴してしまうことを防止する連続動作防止機能付きサイレン制御盤に関するものである。
【背景技術】
【０００２】
従来の放流警報装置でのサイレンの動作保護は、放流警報装置内部に保護タイマーを内蔵し、放流警報装置自身の連続動作を監視していた。放流警報装置の連続動作を検出すると放流警報装置自身の電源を停止することで、サイレンの連続動作保護を行っていた。
なお、一般的な技術分野において、装置の故障したことを検出器で検知して異常状態を検出し、所定時間後に再度異常信号の有無を検出して突発的に生ずる異常信号やノイズによる誤表示を防ぐ技術が特許文献１に示されている。
【先行技術文献】
【特許文献】
【０００３】
【特許文献１】実開昭６２−２９７２５号公報（第２図）
【発明の概要】
【発明が解決しようとする課題】
【０００４】
上述のように、従来の放流警報装置におけるサイレンの動作保護は、放流警報装置そのものの内部に保護タイマーを内蔵し、放流警報装置自身の連続動作を監視しており、連続動作を検出すると放流警報装置自身の電源を停止して、サイレンへの動作信号を遮断していた。
従来の放流警報装置は以上のように構成されているので、放流警報装置内のサイレン制御盤への最終段の制御回路が故障した時や、サイレン制御盤内部の回路が故障した場合には、連続動作の保護ができない問題点があった。また、放流警報装置全体の連続動作を検出しているため、サイレンの連続動作をすぐに検出できず、装置全体の動作保護時間まで連続動作する問題があった。
【０００５】
この発明は上記のような課題を解決するためになされたものであり、サイレンの連続動作をすぐに検出し、サイレンを停止することができるとともに、放流警報装置のサイレン制御盤への最終段の制御回路の故障や、サイレン制御盤内部の回路が故障した場合でも確実にサイレンを停止させることができるサイレン制御盤を得ることを目的とする。
【課題を解決するための手段】
【０００６】
この発明に係るサイレン制御盤は、サイレンと同じ回路上にあるタイマーリレーでサイレンの駆動時間を監視し、タイマーのタイムアップで遮断器のトリップコイルを駆動させてサイレンに供給する電源を遮断するようにしたものである。
【発明の効果】
【０００７】
この発明によれば、サイレンへの供給電源をタイマーで直接監視するように構成したので、サイレンの連続動作を確実に検出できる。また、連続動作を検出したときにサイレンの供給電源の遮断器をトリップさせるように構成したので、確実にサイレンを停止させることができる。
【図面の簡単な説明】
【０００８】
【図１】この発明の実施の形態１を示す回路構成図である。
【発明を実施するための形態】
【０００９】
実施の形態１．
以下、この発明の実施の形態１を図１に基づいて説明する。
図１において、サイレン制御盤１は警報装置２と接続され、警報装置２のサイレン制御出力のリレー接点８と電磁開閉器６のコイル７とが直列接続されている。警報音を発するサイレンモータ３はサイレン制御盤１の電磁開閉器６と遮断器４を通して、商用電源１１に接続されている。遮断器４のトリップコイル５はタイマーリレー９の接点１０と直列に接続され、タイマーリレー９は電磁開閉器６の負荷側に接続されている。つまりタイマーリレー９は負荷であるサイレンモータ３と電磁開閉器６がともにオンの場合だけ動作するように構成されている。
【００１０】
次に動作について説明する。
警報装置２のサイレン制御のリレー接点８は警報装置１の内部のシーケンスにより作成されたタイミングでオン、オフを繰り返す（例：１分オン、１０秒オフ、５回繰り返す）。そして、この警報装置２のサイレン制御接点８のオン、オフによりサイレン制御盤１の電磁開閉器６のコイル７を駆動させることで、電磁開閉器６をオン、オフする。遮断器４は通常はオンの状態であり、電磁開閉器６のオン、オフで、サイレンモータ３に電流が流れたり、遮断されてサイレンは吹鳴、停止を繰り返す。タイマーリレー９はサイレンモータ３と電磁開閉器６がオンの間、駆動するが、タイマーの動作時間はサイレンの吹鳴時間（例：１分１０秒）に設定しているため、タイムアップ動作はしない。
【００１１】
次に、異常時について説明する。警報装置２のサイレン制御のリレー接点８がオン状態でオフにならないような状態となった場合は、タイマーリレー９が連続動作して予め決められたタイムアップ時間に達し、タイムアップする。タイマーリレー９がタイムアップすることで、タイマーリレーの接点１０がオンとなり、タイマーリレーの接点１０と直列接続された遮断器４のトリップコイル５を駆動し、遮断器４をトリップさせることでサイレンモータ３への電流を絶ち、サイレンを停止できる。
【００１２】
このように、サイレン制御盤の中にサイレンの連続動作を監視し、異常時に電源を遮断する機能を持たせる構成としたので、簡単な構成で、短時間にサイレンの連続吹鳴を検出し、確実にサイレンを停止させることができるサイレン制御盤を得ることができる。
【符号の説明】
【００１３】
１  サイレン制御盤、  ２  警報装置、３  サイレンモータ、  ４  遮断器、  ５  遮断器のトリップコイル、  ６  電磁開閉器、  ７  電磁開閉器のコイル、  ８  警報装置のサイレン制御のリレー接点、  ９  タイマーリレー、  １０  タイマーリレーの接点。
【図１】
2011108060.tif 000003